(57)【要約】【課題】本発明は、光源からの光を四方八方に照射できる捕虫器を提供することを目的とする。【解決手段】本発明の捕虫器は、虫を誘引する光を出射する光源２と、該光源２の光を外部に反射させる反射部３と、前記光により誘引された虫を捕獲する捕虫手段４とを本体１内部に備えており、前記反射部３の反射面５は、ポリゴンにより構成されている。【選択図】図５
2020141636.tif 000002
【特許請求の範囲】
【請求項１】
虫を誘引する光を出射する光源と、該光源の光を外部に反射させる反射部と、前記光により誘引された虫を捕獲する捕虫手段とを本体内部に備えた捕虫器において、
前記反射部の反射面は、ポリゴンにより構成されている捕虫器。
【請求項２】
前記本体は、左右の幅と前後の奥行きと高さを有し、該本体の前面上部に開口部が設けられ、
前記反射部は、前記開口部に対面した前記本体に設けられ、
前記反射面は、前記本体の奥側から前記開口部の上部前端に向かう湾曲面を有し、該湾曲面が前記ポリゴンにより構成されている請求項１記載の捕虫器。
【請求項３】
前記反射面は、前記本体の奥側から前記開口部の左右前端に向かう湾曲面を有し、該湾曲面が前記ポリゴンにより構成されている請求項２記載の捕虫器。
【請求項４】
前記光源は、前記反射部の下方の本体内の奥に設けられている請求項１〜３のいずれか一つに記載の捕虫器。
【請求項５】
前記捕虫手段は、前記光源よりも下方に設けられた捕虫ユニットで構成され、該捕虫ユニットは、粘着テープと、該粘着テープを着脱自在に装着する装着部を有し、該装着部は前記本体に設けられている請求項１〜４のいずれか一つに記載の捕虫器。
【請求項６】
前記粘着テープは、巻取り式テープであり、カートリッジに収納され、
前記装着部は、前記カートリッジを着脱自在に装着するものであり、該装着部には、前記カートリッジの巻取りテープを巻き取るための動力部を有する請求項５記載の捕虫器。
【発明の詳細な説明】
【技術分野】
【０００１】
本発明は、捕虫器に関する。
【背景技術】
【０００２】
この種の捕虫器として特許文献１（特開２００２−１６０号公報）に記載のものは、虫が誘引される光を出射する誘虫ランプ（光源）と、誘虫ランプを覆い、蛍光体が塗布された光学フィルタと、誘虫ランプから出射され光学フィルタを透過した光を反射する反射鏡４と、誘虫ランプ２により誘引された虫を捕獲する捕虫シート（捕虫手段）と、誘虫ランプ、光学フィルタ、反射鏡４及び捕虫シートを収納する筐体と、を備えたものであった。
【０００３】
特許文献２（国際公開第２０１６／０３９３９０号）の「図１７」に示すものは、捕虫ユニットと、紫外線を発光する光源と、筐体と、前面パネルと、駆動制御部とを備え、前面パネルは、窓を備え、窓は、発生した紫外線および青色光が筐体の外部に放射され、飛来してきたハエを筐体に誘引することができるように、十分な大きさを持つものであった。
【０００４】
特許文献３（特開２０１８−２７０２８号公報）に記載のものは、波長２３０〜４００ｎｍの電磁波を放射する紫外線用ＬＥＤを少なくとも１つと、波長４００ｎｍ以上の電磁波を放射する可視光用ＬＥＤを少なくとも１つ有し、それらのＬＥＤからの電磁波を反射して装置外に放射する反射具を有するものであって、該反射具は乱反射するものであった。
【先行技術文献】
【特許文献】
【０００５】
【特許文献１】特開２００２−１６０号公報
【特許文献２】国際公開第２０１６／０３９３９０号
【特許文献３】特開２０１８−２７０２８号公報
【発明の概要】
【発明が解決しようとする課題】
【０００６】
前記特許文献１〜３に記載の捕虫器においては、光源からの光を反射させる反射部分が乱反射するものであっても、四方八方に放射することができず、捕虫効果に劣るものであった。
本発明は、光源からの光を四方八方に照射できる捕虫器を提供することを目的とする。
【課題を解決するための手段】
【０００７】
本発明は、前記課題を解決することを目的とする。本発明の捕虫器は、虫を誘引する光を出射する光源と、該光源の光を外部に反射させる反射部と、前記光により誘引された虫を捕獲する捕虫手段とを本体内部に備えており、前記反射部の反射面は、ポリゴンにより構成されている。
【０００８】
前記本体は、左右の幅と前後の奥行きと高さを有し、該本体の前面上部に開口部が設けられ、前記反射部は、前記開口部に対面した前記本体に設けられ、前記反射面は、前記本体の奥側から前記開口部の上部前端に向かう湾曲面を有し、該湾曲面が前記ポリゴンにより構成されているのが好ましい。
【０００９】
前記反射面は、前記本体の奥側から前記開口部の左右前端に向かう湾曲面を有し、該湾曲面が前記ポリゴンにより構成されているのが好ましい。
前記光源は、前記反射部の下方の本体内の奥に設けられているのが好ましい。
【００１０】
前記捕虫手段は、前記光源よりも下方に設けられた捕虫ユニットで構成され、該捕虫ユニットは、粘着テープと、該粘着テープを着脱自在に装着する装着部を有し、該装着部は前記本体に設けられているのが好ましい。
前記粘着テープは、巻取り式テープであり、カートリッジに収納され、前記装着部は、前記カートリッジを着脱自在に装着するものであり、該装着部には、前記カートリッジの巻取りテープを巻き取るための動力部を有するのが好ましい。
【発明の効果】
【００１１】
本発明によれば、反射部の反射面をポリゴンにより構成したので、光源からの光を四方八方に反射させることができ、捕虫効果を向上させることができる。
【図面の簡単な説明】
【００１２】
【図１】本発明の実施の形態を示す正面図。
【図２】図１の右側面図。
【図３】図１の平面図。
【図４】図１の背面図。
【図５】図１のＡ−Ａ線断面図。
【図６】上方からみた斜視図。
【図７】下方からみた斜視図。
【発明を実施するための形態】
【００１３】
以下、本発明の実施の形態を図面に基づき説明する。
【００１４】
図１〜図７において、本発明の実施の形態に係る捕虫器は、本体１を有する。この本体１内に、虫を誘引する光を出射する光源２（図５、６参照）と、光源２の光を外部に反射させる反射部３と、光により誘引された虫を捕獲する捕虫手段４（図５、６参照）とを備えている。そして、反射部３の反射面５は、ポリゴンにより構成されている。
【００１５】
ここで、「ポリゴン」とは、３Ｄグラフィックにおいて、「立体的な物体の曲面を表現する際に用いられる多角形」のことをいう。曲面を構成する最小単位で、ほとんどの場合、三角形が用いられる。ポリゴンを「凹凸幾何学模様」と定義することもできる。
【００１６】
前記本体１は、左右の幅と前後の奥行きと高さを有する。本体１の前面上部に開口部６が設けられている。
前記反射部３は、開口部６に対面した本体１に設けられた反射面５で構成されている。反射面５は、本体１の奥側から開口部６の上部前端に向かう湾曲面を有し、この湾曲面がポリゴンにより構成されている。
【００１７】
また反射面５は、本体１の奥側から開口部６の左右前端に向かう湾曲面を有し、この湾曲面がポリゴンにより構成されている。
このポリゴンは、三角形の平面を湾曲面に沿ってデコボコするように、隙間なく配置したものである。
【００１８】
本体１は、合成樹脂製で成形されており、ポリゴンの反射面５も本体１と一体成型されており、その表面は、反射するように処理されている。しかし、反射部３は、本体１と分離可能なものであっても良い。
光源２は、反射部３の下方の本体１内の奥に設けられている。光源２はＵＶランプが使用されているがこれに限定されず、虫を誘引できる光を出射するものであればよい。
【００１９】
図５に示すように、前記捕虫手段４は、光源２よりも下方に設けられた捕虫ユニットで構成されている。この捕虫ユニットは、粘着テープ７と、粘着テープ７を着脱自在に装着する装着部８を有する。装着部８は本体１に設けられている。
【００２０】
粘着テープ７は、巻取り式テープであり、カートリッジに収納されている。前記装着部８は、前記カートリッジを着脱自在に装着するものである。装着部８には、前記カートリッジの巻取りテープを巻き取るための動力部９を有する。動力部９はモータと、このモータを制御する制御部（図示省略）を有する。
【００２１】
前記本体１は、開閉自在な前面カバー１０を有し、前面カバー１０を取り外すか開くことにより、カートリッジを装着部８に装着可能とする。前面カバー１０の上端縁が、開口部６の下縁とされている。前面カバー１０に、ポリゴン模様が施され、反射面５のポリゴンと相まってインテリア性を向上させている。
【００２２】
本体１の背面には、壁掛け用又はスタンド用の後面カバー１１が設けられている。この後面カバー１１に壁掛け用の穴１２が設けられ、この穴１２に、壁に設けられた引っ掛かり部を挿入することにより、本体１は、壁に係止される。
【００２３】
後面カバー１１の下部に、スタンド差込部１３が設けられ、この差込部１３にスタンド１４が着脱自在に装着される。このスタンド１４により、本体１は、テーブル等の上に載置することができる。
【００２４】
前記構成の捕虫器によれば、本体１内部に設けられた光源２から出射された光は、反射部３の反射面５により反射されて、開口部６より外部に放出される。このとき、反射面５は湾曲面に形成されたポリゴンにより構成されているので、デコボコしており、その反射光は、開口部６より外部に四方八方に反射される。
【００２５】
この実施の形態によれば、従来の滑らかな乱反射面に比べ、凹凸幾何学模様のポリゴンであるので、四方八方に反射され、広範囲に存在する虫を誘引することができる。
【００２６】
今回開示された実施の形態はすべての点で例示であって制限的なものではない。
本発明の範囲は、上記した説明ではなく、特許請求の範囲によって示され、特許請求の範囲と均等の意味及び範囲内でのすべての変更が含まれる。
【符号の説明】
【００２７】
１  本体
２  光源
３  反射部
４  捕虫手段
５  反射面
６  開口部
７  粘着テープ
８  装着部
９  動力部
１０  前面カバー
１１  後面カバー
１２  穴
１３  スタンド差込部
１４  スタンド
【図１】
2020141636.tif 000003
【図２】
2020141636.tif 000004
【図３】
2020141636.tif 000005
【図４】
2020141636.tif 000006
【図５】
2020141636.tif 000007
【図６】
2020141636.tif 000008
【図７】
2020141636.tif 000009
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
虫を誘引する光を出射する光源と、該光源の光を外部に反射させる反射部と、前記光により誘引された虫を捕獲する捕虫手段とを本体内部に備えた捕虫器において、
前記本体は、左右の幅と前後の奥行きと高さを有し、該本体の前面上部に開口部が設けられ、
前記反射部は、前記開口部に対面した前記本体に設けられ、
前記反射部の反射面は、前記本体の奥側から前記開口部の上部前端および左右前端に向かう湾曲面を有し、該湾曲面がポリゴンにより構成されている捕虫器。
【請求項２】
前記光源は、前記反射部の下方の本体内の奥に設けられている請求項１記載の捕虫器。
【請求項３】
前記捕虫手段は、前記光源よりも下方に設けられた捕虫ユニットで構成され、該捕虫ユニットは、粘着テープと、該粘着テープを着脱自在に装着する装着部を有し、該装着部は前記本体に設けられている請求項１または２記載の捕虫器。
【請求項４】
前記粘着テープは、巻取り式テープであり、カートリッジに収納され、
前記装着部は、前記カートリッジを着脱自在に装着するものであり、該装着部には、前記カートリッジの巻取りテープを巻き取るための動力部を有する請求項３記載の捕虫器。